(57)【要約】【課題】良好な圧着剛性を得ることができる端子付き電線を提供することを目的とする。【解決手段】端子付き電線１の圧着端子１２における芯線圧着部１２１が、露出芯線１１１の長手方向に沿って延在する底部１２１ａと、底部１２１ａにおける、長手方向に沿った一対の端縁１２１ａ−１それぞれで折り曲げられて所定高さまで底部１２１ａの厚み以上の厚みで立ち上がった一対の立上り部１２１ｂと、一対の立上り部１２１ｂそれぞれにおける底部１２１ａとは反対側の端部１２１ｂ−１から、当該端部１２１ｂ−１の厚みと同厚のまま延出して先端まで厚みが漸減しつつ、露出芯線１１１を底部１２１ａとの間に挟んで包み込むように各々が折り曲げられた一対の腕部１２１ｃと、を備えている。【選択図】図２
2019046621.tif 000002
【特許請求の範囲】
【請求項１】
被覆電線において露出芯線を含む端部に圧着端子が圧着接続された端子付き電線であって、
前記圧着端子が、前記露出芯線を包み込むように当該露出芯線に圧着された芯線圧着部を備え、
前記芯線圧着部が、
前記露出芯線の長手方向に沿って延在して当該露出芯線が載置される底部と、
前記底部における、前記長手方向に沿った一対の端縁それぞれで折り曲げられて所定高さまで前記底部の厚み以上の厚みで立ち上がった一対の立上り部と、
前記一対の立上り部それぞれにおける前記底部とは反対側の端部から、当該端部の厚みと同厚のまま延出して先端まで厚みが漸減しつつ、前記露出芯線を前記底部との間に挟んで包み込むように各々が折り曲げられた一対の腕部と、
を備えていることを特徴とする端子付き電線。
【請求項２】
前記一対の腕部は、当該一対の腕部それぞれが折り曲げられる前で前記一対の立上り部それぞれから直線状に延出して、前記長手方向と直交する前記芯線圧着部の断面形状が略Ｕ字状となっているときに当該略Ｕ字状の外側となる面が先端にかけて内側の面へと徐々に近づくテーパ形状となっていることを特徴とする請求項１に記載の端子付き電線。
【請求項３】
前記一対の腕部は、当該一対の腕部それぞれが折り曲げられる前で前記一対の立上り部それぞれから直線状に延出して、前記長手方向と直交する前記芯線圧着部の断面形状が略Ｕ字状となっているときに当該略Ｕ字状の内側となる面が先端にかけて外側の面へと徐々に近づくテーパ形状となっていることを特徴とする請求項１に記載の端子付き電線。
【請求項４】
前記一対の腕部それぞれの先端部は、当該一対の腕部それぞれが折り曲げられる前で前記一対の立上り部それぞれから直線状に延出して、前記長手方向と直交する前記芯線圧着部の断面形状が略Ｕ字状となっているときに当該略Ｕ字状の外側となる角に面取り加工が施された形状となっていることを特徴とする請求項１〜３のうち何れか一項に記載の端子付き電線。
【発明の詳細な説明】
【技術分野】
【０００１】
本発明は、被覆電線において露出芯線を含む端部に圧着端子が圧着接続された端子付き電線に関するものである。
【背景技術】
【０００２】
従来、被覆電線において露出芯線を含む端部に圧着端子が圧着接続された端子付き電線が広く利用されている（例えば、特許文献１参照）。この特許文献１に記載の端子付き電線では、圧着端子において露出芯線を包み込むように当該露出芯線に圧着された芯線圧着部が、露出芯線が載置される底部と、この底部よりも薄肉に形成されて露出芯線を包み込むように曲げられる一対の腕部と、を備えている。一対の腕部を薄肉に形成することで、各腕部の曲げ性を良好なものとし、各腕部が曲げられて圧着された圧着端子と露出芯線との接触抵抗について、製品毎のばらつきの低減が図られている。
【先行技術文献】
【特許文献】
【０００３】
【特許文献１】実開平６−８０２６３号公報
【発明の概要】
【発明が解決しようとする課題】
【０００４】
ここで、特許文献１に記載の端子付き電線では、厚肉の底部と薄肉の各腕部との境界部分に曲げ応力が集中し易く、例えば被覆電線が引っ張られるときの耐性等といった圧着剛性の点で改善の余地が見られる。また、圧着剛性の改善は、端子付き電線の電気性能を安定化させる面でも望まれている。
【０００５】
従って、本発明は、上記のような改善の余地に着目し、良好な圧着剛性を得ることができる端子付き電線を提供することを目的とする。
【課題を解決するための手段】
【０００６】
上記課題を解決するために、本発明の端子付き電線は、被覆電線において露出芯線を含む端部に圧着端子が圧着接続された端子付き電線であって、前記圧着端子が、前記露出芯線を包み込むように当該露出芯線に圧着された芯線圧着部を備え、前記芯線圧着部が、前記露出芯線の長手方向に沿って延在して当該露出芯線が載置される底部と、前記底部における、前記長手方向に沿った一対の端縁それぞれで折り曲げられて所定高さまで前記底部の厚み以上の厚みで立ち上がった一対の立上り部と、前記一対の立上り部それぞれにおける前記底部とは反対側の端部から、当該端部の厚みと同厚のまま延出して先端まで厚みが漸減しつつ、前記露出芯線を前記底部との間に挟んで包み込むように各々が折り曲げられた一対の腕部と、を備えていることを特徴とする。
【発明の効果】
【０００７】
本発明の端子付き電線では、芯線圧着部において、まず、底部からは一対の立上り部が所定高さまで底部の厚み以上の厚みで立ち上がっている。このため、この底部と立上り部との境界部分について曲げ応力に対する耐性が高められている。さらに、一対の立上り部それぞれから延出して露出芯線を底部との間に挟んで包み込むように各々が折り曲げられた一対の腕部は、それぞれ立上り部の端部の厚みと同厚のまま延出して先端まで厚みが漸減した形状となっている。一対の腕部が先端まで厚みが漸減した形状となっていることで、各腕部、即ち芯線圧着部の良好な曲げ性が得られ、これにより、芯線圧着部と露出芯線との接触抵抗の安定化といった良好な電気性能を確保することができる。その上で、各腕部が先端まで厚みが漸減した形状となっていることから、この腕部においても、曲げ応力の分散等によって曲げ応力に対する耐性の向上が図られている。以上により、芯線圧着部において、曲げの戻り等が抑制されるとともに、例えば被覆電線が引っ張られるときの耐性等といった点において良好な圧着剛性を得ることができる。
【図面の簡単な説明】
【０００８】
【図１】本発明の第１実施形態にかかる端子付き電線を示す図である。
【図２】図１に示されている芯線圧着部における露出芯線の長手方向と交差するＶ１１−Ｖ１１線に沿った断面形状を示す模式図である。
【図３】芯線圧着部と被覆圧着部とが圧着前の状態にある圧着端子を示す図である。
【図４】図３に示されている圧着端子の展開体を示す図である。
【図５】腕部の先端部を含む図４中の領域Ａ１１の拡大図である。
【図６】被覆電線の端部における露出芯線に、圧着端子における芯線圧着部が圧着接続される様子を示す模式図である。
【図７】図１〜図６を参照して説明した第１実施形態の端子付き電線と比較するための比較例の端子付き電線を示す図である。
【図８】図７に示されている比較例の端子付き電線における圧着端子の展開体を示す図である。
【図９】本発明の第２実施形態にかかる端子付き電線において、第１実施形態との相違点である圧着端子における芯線圧着部の一対の腕部の断面形状について、圧着端子の展開体で示す図である。
【図１０】図９中の領域Ａ２１の拡大図である。
【発明を実施するための形態】
【０００９】
以下、本発明の一実施形態について説明する。まず、第１実施形態について説明する。
【００１０】
図１は、本発明の第１実施形態にかかる端子付き電線を示す図である。
【００１１】
図１に示されている端子付き電線１は、被覆電線１１において露出芯線１１１を含む電線端部１１ａに圧着端子１２が圧着接続されたものである。尚、圧着端子１２には、被覆電線１１とは反対側に、相手側端子との接続部が形成されているが、図１では、この接続部の図示が省略されている。以下では、この接続部について、他の図においても図示を省略するとともにその説明も割愛する。
【００１２】
圧着端子１２は、芯線圧着部１２１と、被覆圧着部１２２と、を備えている。芯線圧着部１２１は、被覆圧着部１２２よりも接続部寄りに形成され、露出芯線１１１を包み込むように当該露出芯線１１１に圧着されている。被覆圧着部１２２は、電線端部１１ａにおける被覆部分１１２を包み込むように当該被覆部分１１２に圧着されている。
【００１３】
ここで、本実施形態では、芯線圧着部１２１が次のような構造を有している。
【００１４】
図２は、図１に示されている芯線圧着部における露出芯線の長手方向と交差するＶ１１−Ｖ１１線に沿った断面形状を示す模式図である。
【００１５】
この図２に示されているように、芯線圧着部１２１は、底部１２１ａと、一対の立上り部１２１ｂと、一対の腕部１２１ｃと、を備えている。底部１２１ａは、露出芯線１１１の長手方向Ｄ１１に沿って延在して露出芯線１１１が載置される部位である。一対の立上り部１２１ｂは、底部１２１ａにおける、長手方向Ｄ１１に沿った一対の端縁１２１ａ−１それぞれで折り曲げられて所定高さまで底部１２１ａの厚み以上の厚みで立上った部位である。本実施形態では、折曲げ加工時に、立上り部１２１ｂの根本側の一部が剖出して部分的に厚みが増した形状となっている。また、一対の腕部１２１ｃは、一対の立上り部１２１ｂそれぞれにおける底部１２１ａとは反対側の端部１２１ｂ−１から延出して露出芯線１１１を底部１２１ａとの間に挟んで包み込むように各々が折り曲げられた部位である。そして、各腕部１２１ｃは、立上り部１２１ｂの端部１２１ｂ−１の厚みと同厚のまま延出して先端まで厚みが漸減した形状となっている。
【００１６】
図３は、芯線圧着部と被覆圧着部とが圧着前の状態にある圧着端子を示す図であり、図４は、図３に示されている圧着端子の展開体を示す図である。
【００１７】
図４に示されているように、圧着端子１２の展開体は、概ね、上記の長手方向Ｄ１１に沿って延在する帯状部１２３から、芯線圧着部１２１をなす一対の腕部１２１ｃや、被覆圧着部１２２をなす一対の腕部１２２ａが延出した形状を有している。また、この帯状部１２３における、被覆圧着部１２２とは反対側の先端部には、不図示の接続部の展開形状が形成されている。この展開体に適宜に折り曲げ加工が施されて圧着端子１２が形成される。
【００１８】
ここで、本実施形態では、芯線圧着部１２１の底部１２１ａ、及び、この底部１２１ａにおける一対の端縁１２１ａ−１それぞれで折り曲げられる一対の立上り部１２１ｂ、が帯状部１２３の一部をなしている。その結果、展開体の状態ではこれらの部位が互いに同厚となっている。
【００１９】
そして、芯線圧着部１２１の一対の腕部１２１ｃは、一対の立上り部１２１ｂそれぞれにおける底部１２１ａとは反対側の端部１２１ｂ−１から、当該端部１２１ｂ−１の厚みと同厚のまま延出して先端まで厚みが漸減した形状となっている。
【００２０】
本実施形態では、一対の腕部１２１ｃそれぞれの形状は、図４中に、Ｖ１２−Ｖ１２線に沿った芯線圧着部１２１の断面図で示されているようにテーパ形状となっている。まず、これら一対の腕部１２１ｃが折り曲げられる前で各立上り部１２１ｂそれぞれから直線状に延出した状態では、図３に示されているように、長手方向Ｄ１１と直交する芯線圧着部１２１の断面形状は略Ｕ字状となる。一対の腕部１２１ｃそれぞれは、芯線圧着部１２１の断面形状がこのような略Ｕ字状となっているときに当該略Ｕ字状の外側となる面１２１ｃ−１が先端にかけて内側の面１２１ｃ−２へと徐々に近づくテーパ形状となっている。
【００２１】
また、一対の腕部１２１ｃそれぞれの先端部１２１ｃ−３は、次のような形状となっている。
【００２２】
図５は、腕部の先端部を含む図４中の領域Ａ１１の拡大図である。
【００２３】
この図５に示されているように、腕部１２１ｃの先端部１２１ｃ−３は、面取り加工が施された形状となっている。この面取り加工は、一対の腕部１２１ｃそれぞれが折り曲げられる前で芯線圧着部１２１の断面形状が上記のように略Ｕ字状となっているときに当該略Ｕ字状の外側となる角に施されている。これにより、略Ｕ字状の外側となる面１２１ｃ−１と、側端面１２１ｃ−４と、にかけて斜行する面取り部１２１ｃ−５が形成される。
【００２４】
ここで、被覆電線１１の電線端部１１ａにおける露出芯線１１１への、圧着端子１２における芯線圧着部１２１の圧着接続は、次のように行われる。
【００２５】
図６は、被覆電線の端部における露出芯線に、圧着端子における芯線圧着部が圧着接続される様子を示す模式図である。
【００２６】
圧着接続は、被覆電線１１の電線端部１１ａと、断面形状が略Ｕ字状となった芯線圧着部１２１と、を相互間に挟む上金型Ｔ１１及び下金型Ｔ１２を用いて行われる。上金型Ｔ１１には、芯線圧着部１２１の一対の腕部１２１ｃの図２に示されている折り曲げ形状に対応して断面形状が略Ｍ字状となる凹部Ｔ１１ａが形成されている。また、下金型Ｔ１２には、芯線圧着部１２１の底部１２１ａの図２に示されている扁平な湾曲形状に対応して断面形状が緩やかに湾曲した凹部Ｔ１２ａが形成されている。
【００２７】
下金型Ｔ１２の凹部Ｔ１２ａで、断面形状が略Ｕ字状となった芯線圧着部１２１の底部１２１ａを支えつつ、一対の腕部１２１ｃを上金型Ｔ１１の凹部Ｔ１１ａの内側に迎え入れて上金型Ｔ１１を下金型Ｔ１２へと押圧することで圧着接続が行われる。これにより、図２に示されているような断面形状の芯線圧着部１２１が形成される。
【００２８】
また、ここでは詳細な説明を割愛するが、図３に示されている断面形状が略Ｕ字状となった被覆圧着部１２２についても、略同様の上金型と下金型を用いた圧着接続が行われて、図１に示されているような折り曲げ形状への成形が行われる。
【００２９】
本実施形態では、このようにして図１に示されている端子付き電線１が作製される。
【００３０】
図７は、図１〜図６を参照して説明した第１実施形態の端子付き電線と比較するための比較例の端子付き電線を示す図であり、図８は、図７に示されている比較例の端子付き電線における圧着端子の展開体を示す図である。
【００３１】
尚、図７では、比較例の端子付き電線５が、圧着端子５２における芯線圧着部５２１における断面形状で示されている。また、この図７には、このような芯線圧着部５２１をこのような断面形状に成形して、被覆電線５１の露出芯線５１１に圧着接続するための上金型Ｔ５１と下金型Ｔ５２も示されている。この比較例においても図示は割愛するが、被覆圧着部５２２についても略同様の上金型と下金型を用いた圧着接続が行われる。
【００３２】
この比較例の圧着端子５２は、図８の展開体についてＶ５１−Ｖ５１線に沿った芯線圧着部５２１の断面図で示されているように、芯線圧着部５２１の底部５２１ａが厚肉に形成され、一対の腕部５２１ｃが薄肉に形成されている。
【００３３】
このような圧着端子５２を用いて作製された比較例の端子付き電線５における芯線圧着部５２１では、底部５２１ａと腕部５２１ｃとの境界部分５２１ｄで急激に厚みが薄くなっている。比較例の端子付き電線５では、このような境界部分５２１ｄに圧着時の曲げ応力が集中し易く、例えば被覆電線５１が引っ張られるときの耐性等といった圧着剛性の点で改善の余地が見られる。また、圧着剛性の改善は、比較例の端子付き電線５の電気性能を安定化させる面でも望ましい。
【００３４】
このような比較例の端子付き電線５に対し、上述した第１実施形態の端子付き電線１では、芯線圧着部１２１において、まず、底部１２１ａからは一対の立上り部１２１ｂが所定高さまで底部１２１ａの厚み以上の厚みで立ち上がっている。このため、底部１２１ａと立上り部１２１ｂとの境界部分について曲げ応力に対する耐性が高められている。一対の立上り部１２１ｂそれぞれから延出して露出芯線１１１を底部１２１ａとの間に挟んで包み込むように各々が折り曲げられた一対の腕部１２１ｃは、それぞれ立上り部１２１ａの端部１２１ｂ−１の厚みと同厚のまま延出して先端まで厚みが漸減している。一対の腕部１２１ｃが先端まで厚みが漸減した形状となっていることで、各腕部１２１ｃ、即ち芯線圧着部１２１の良好な曲げ性が得られ、これにより、芯線圧着部１２１と露出芯線１１１との接触抵抗の安定化といった良好な電気性能を確保することができる。その上で、各腕部１２１ｃが先端まで厚みが漸減した形状となっていることから、この腕部１２１ｃにおいても、曲げ応力の分散等によって曲げ応力に対する耐性の向上が図られている。以上により、芯線圧着部１２１において、曲げの戻り等が抑制されるとともに、例えば被覆電線１１が引っ張られるときの耐性等といった点において良好な圧着剛性を得ることができる。
【００３５】
ここで、本実施形態の端子付き電線１では、圧着前で芯線圧着部１２１ｃの断面形状が略Ｕ字状となっているときに当該略Ｕ字状の外側となる面１２１ｃ−１が先端にかけて内側の面１２１ｃ−２へと徐々に近づくテーパ形状となっている。これにより、一対の腕部１２１ｃについて、例えば削り加工等の容易な加工手法によりテーパ形状を作り出すことができるので、製造コスト等の点で好適である。
【００３６】
また、本実施形態の端子付き電線１では、一対の腕部１２１ｃそれぞれの先端部１２１ｃ−３は、図５に示されている面取り加工が施された形状となっている。これにより、各腕部１２１ｃの面取り部１２１ｃ−５が、圧着接続の際に上金型Ｔ１１の凹部Ｔ１１ａの内側に当接することで各腕部１２１ｃが上金型Ｔ１１の凹部Ｔ１１ａの内部へと良好に案内されることとなる。その結果、金型による圧着形状を安定させることができ、延いては一層良好な圧着剛性を得ることができる。
【００３７】
次に、第２実施形態について説明する。この第２実施形態は、圧着端子における芯線圧着部の一対の腕部の断面形状が、上述した第１実施形態と異なっている。以下では、第２実施形態について、第１実施形態との相違点に注目して説明を行なう。
【００３８】
図９は、本発明の第２実施形態にかかる端子付き電線において、第１実施形態との相違点である圧着端子における芯線圧着部の一対の腕部の断面形状について、圧着端子の展開体で示す図である。また、図１０は、図９中の領域Ａ２１の拡大図である。尚、図９では、第１実施形態の圧着端子の展開体を示す図４における構成要素と同等な構成要素については、図４と同じ符号が付されており、以下では、それら同等な構成要素の重複説明を省略する。
【００３９】
この第２実施形態でも、圧着端子２２の展開体は、概ね、上記の長手方向Ｄ１１に沿って延在する帯状部１２３から、芯線圧着部２２１をなす一対の腕部２２１ｃや、被覆圧着部１２２をなす一対の腕部１２２ａが延出した形状を有している。また、芯線圧着部２２１は、底部１２１ａの一対の端縁１２１ａ−１から一対の立上り部１２１ｂが延出し、これら一対の立上り部１２１ｂそれぞれの端部１２１ｂ−１から一対の腕部２２１ｃが延出している。
【００４０】
そして、各腕部２２１ｃが、立上り部１２１ｂの端部１２１ｂ−１の厚みと同厚のまま延出して先端まで厚みが漸減した形状となっている。その腕部１２１ｂ−１の形状が、上述した第１実施形態と異なり、Ｖ２１−Ｖ２１線に沿った芯線圧着部２２１の断面形状で示されているようなテーパ形状となっている。
【００４１】
即ち、本実施形態では、各腕部２２１ｃは、第１実施形態とは逆に、圧着前で芯線圧着部２２１の断面形状が略Ｕ字状となっているときに当該略Ｕ字状の内側となる面２２１ｃ−２が先端にかけて外側の面２２１ｃ−１へと徐々に近づくテーパ形状となっている。
【００４２】
一方で、一対の腕部２２１ｃそれぞれの先端部２２１ｃ−３には、第１実施形態と同様の面取り加工が図１０に示されているように施されている。即ち、この面取り加工は、圧着前で芯線圧着部２２１の断面形状が略Ｕ字状となっているときに当該略Ｕ字状の外側となる角に施されている。これにより、略Ｕ字状の外側となる面２２１ｃ−１と、側端面２２１ｃ−４と、にかけて斜行する面取り部２２１ｃ−５が形成される。
【００４３】
以上に説明した第２実施形態によっても、第１実施形態と同様に、芯線圧着部２２１において、曲げの戻り等が抑制されるとともに、例えば被覆電線１１が引っ張られるときの耐性等といった点において良好な圧着剛性を得ることができることは言うまでもない。
【００４４】
また、第２実施形態では、上述したように、各腕部２２１ｃが、第１実施形態とは逆に、略Ｕ字状の内側となる面２２１ｃ−２が先端にかけて外側の面２２１ｃ−１へと徐々に近づくテーパ形状となっている。このような形態であっても、一対の腕部２２１ｃについて、例えば削り加工等の容易な加工手法によりテーパ形状を作り出すことができるので、製造コスト等の点で好適である点については、第１実施形態と同様である。
【００４５】
更に、第２実施形態においても、各腕部２２１ｃの先端部２２１ｃ−３において、略Ｕ字状の外側を向いた角に施された面取り加工によって、第１実施形態と同様に、金型による圧着形状を安定させることができ、延いては一層良好な圧着剛性を得ることができる。
【００４６】
尚、以上に説明した第１及び第２実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明の端子付き電線の構成を具備する限り、勿論、本発明の範疇に含まれるものである。
【００４７】
例えば、上述した実施形態では、本発明にいう圧着端子の一例を示すに当たり、被覆圧着部１２２について詳細な説明を割愛したが、この被覆圧着部については、図示された形状のものに限るものではなく任意の形状に設定し得る。
【００４８】
また、上述した実施形態では、本発明にいう芯線圧着部における一対の腕部の一例として、圧着前に矩形板状の平面視外形を有する一対の腕部１２１ｃ，２２１ｃが例示されている。しかしながら、本発明にいう一対の腕部は、これらに限るものではない。本発明にいう一対の腕部は、底部とは反対側の端部から、当該端部の厚みと同厚のまま延出して先端まで厚みが漸減しつつ、露出芯線を底部との間に挟んで包み込むように各々が折り曲げられたものであれば具体的な平面視外形を問うものではない。
【００４９】
また、上述した実施形態では、本発明にいう芯線圧着部の一例として、帯状部１２３の一部をなす底部１２１ａ及び一対の立上り部１２１ｂを備え、帯状部１２３から一対の腕部１２１ｃ，２２１ｃが延出した芯線圧着部１２１，２２１が例示されている。しかしながら、本発明にいう芯線圧着部は、これらに限るものではない。本発明にいう芯線圧着部は、圧着端子の帯状部には底部のみが含まれ、この帯状部から、一対の立上り部と、一対の腕部と、が延出した形態のもの等であってもよい。
【符号の説明】
【００５０】
１      端子付き電線
１１    被覆電線
１１ａ  電線端部
１２，２２    圧着端子
１１１  露出芯線
１１２  被覆部分
１２１，２２１  芯線圧着部
１２１ａ  底部
１２１ａ−１  端縁
１２１ｂ  立上り部
１２１ｂ−１  端部
１２１ｃ，１２２ａ，２２１ｃ  腕部
１２１ｃ−１，２２１ｃ−１  外側となる面
１２１ｃ−２，２２１ｃ−２  内側の面
１２１ｃ−３，２２１ｃ−３  先端部
１２１ｃ−４，２２１ｃ−４  側端面
１２１ｃ−５，２２１ｃ−５  面取り部
１２２  被覆圧着部
１２３  帯状部
Ｄ１１  長手方向
Ｔ１１  上金型
Ｔ１１ａ，Ｔ１２ａ  凹部
Ｔ１２  下金型
【図１】
2019046621.tif 000003
【図２】
2019046621.tif 000004
【図３】
2019046621.tif 000005
【図４】
2019046621.tif 000006
【図５】
2019046621.tif 000007
【図６】
2019046621.tif 000008
【図７】
2019046621.tif 000009
【図８】
2019046621.tif 000010
【図９】
2019046621.tif 000011
【図１０】
2019046621.tif 000012